(57)【要約】  本発明は上面に埋め込まれたディスプレイパネルを有する物品およびその製造方法に関する。
2007535416.tif 000002
【特許請求の範囲】
【請求項１】
上面に埋め込まれたディスプレイパネルを有するプラスチック物品。
【請求項２】
前記ディスプレイパネルが前記物品の非ディスプレイ部分とシームレスに結合している、請求項１に記載の物品。
【請求項３】
成形、スタンピング、ラミネーションまたはそれらの組合せにより形成される、請求項１に記載の物品。
【請求項４】
前記成形プロセスが射出成形、圧縮成形、熱成形またはブロー成形である、請求項３に記載の物品。
【請求項５】
前記ディスプレイパネルが前記物品の上面と密接に接触している、請求項１に記載の物品。
【請求項６】
前記ディスプレイパネルの上部表示基材層が物品の上部層と同一である、請求項１に記載の物品。
【請求項７】
熱可塑性材料、熱可塑性エラストマー、熱硬化性材料およびそれらの混合物、プリプレグまたは複合体からなる群より選択される材料から形成される、請求項１に記載の物品。
【請求項８】
前記熱可塑性材料がポリスチレン、ポリ塩化ビニル、アクリル樹脂、ポリスルホン、ポリアリールエステル、ポリプロピレンオキシド、ポリオレフィン、アクリロニトリル−ブタジエン−スチレン共重合体（ＡＢＳ）、メタクリレート−アクリロニトリル−ブタジエン−スチレン共重合体（ＭＡＢＳ）、ポリカーボネート、ポリブチレンテレフタレート（ＰＢＴ）、ポリエチレンテレフタレート（ＰＥＴ）、ポリウレタンまたはそれらの複合体、プリプレグもしくは混合物である、請求項７に記載の物品。
【請求項９】
前記熱硬化性材料が反応射出成形グレードのポリウレタン、エポキシ樹脂、不飽和ポリエステル、ビニルエステルまたはそれらの複合体、プリプレグもしくは混合物である、請求項７に記載の物品。
【請求項１０】
前記ディスプレイパネルが電気泳動ディスプレイ、フリッピングボールディスプレイ、液体粉末ディスプレイまたは他の粒子タイプのディスプレイである、請求項１に記載の物品。
【請求項１１】
前記電気泳動ディスプレイがマイクロカップ（登録商標）ベースである、請求項１０に記載の物品。
【請求項１２】
前記ディスプレイパネルが液晶ディスプレイである、請求項１に記載の物品。
【請求項１３】
前記液晶ディスプレイがマイクロカップ（登録商標）ベースである、請求項１２に記載の物品。
【請求項１４】
前記電気泳動ディスプレイが伝統的なアップ／ダウン、インプレーンまたはデュアルスイッチングモードを有する、請求項１０に記載の物品。
【請求項１５】
前記ディスプレイパネルがＯＬＥＤまたはＰＬＥＤである、請求項１に記載の物品。
【請求項１６】
前記液晶ディスプレイがポリマー分散型液晶またはコレステリック液晶ディスプレイである、請求項１２に記載の物品。
【請求項１７】
前記ディスプレイパネルがプラスチック基材層上に形成され、２つのプラスチック基材層の間に挟持され、または透明プラスチック層と薄い金属もしくは金属酸化物箔またはガラスシートとの間に挟持される、請求項１に記載の物品。
【請求項１８】
前記プラスチック基材層がポリエチレンテレフタレート（ＰＥＴ）、ポリブチレンテレフタレート（ＰＢＴ）、ポリエチレンナフタレート（ＰＥＮ）、ポリオレフィン、ポリカーボネート（ＰＣ）、ポリメチルメタクリレート（ＰＭＭＡ）、ポリスルホン、ポリイミド（ＰＩ）、ポリアリールエステル、ポリスチレン、ポリウレタン、ポリシロキサンまたはそれらの共重合体、混合物もしくは複合体から形成される、請求項１７に記載の物品。
【請求項１９】
前記プラスチック基材材料がＰＥＴ、ＰＢＴ、ＰＥＮまたはＰＣから形成される、請求項１７に記載の物品。
【請求項２０】
前記金属もしくは金属酸化物箔が鋼、Ａｌ、Ｓｎ、Ｎｉ、Ｃｕ、Ｚｎ、Ｍｇまたはそれらの合金、酸化物、複合体もしくは混合物から形成される、請求項１７に記載の物品。
【請求項２１】
前記鋼は炭素鋼またはステンレス鋼である、請求項２０に記載の物品。
【請求項２２】
装飾デザインをその上面に更に含む、請求項１に記載の物品。
【請求項２３】
前記装飾デザインが後成形により適用される、請求項２２に記載の物品。
【請求項２４】
前記装飾デザインがインモールドプロセスにより適用される、請求項２２に記載の物品。
【請求項２５】
前記ディスプレイパネルが、上部表示側可撓性基材層と底部可撓性基材層との間に挟持される複数のディスプレイセルを含む、請求項２２に記載の物品。
【請求項２６】
前記上部表示側可撓性基材層が透明基材層である、請求項２５に記載の記載の物品。
【請求項２７】
前記上部表示側可撓性基材層が透明プラスチック基材層である、請求項２６に記載の物品。
【請求項２８】
底部可撓性基材層がプラスチック基材層、薄い金属もしくは金属酸化物箔またはガラスシートである、請求項２５に記載の物品。
【請求項２９】
前記装飾デザインが上部表示側基材層の片側に表わされている、請求項２５に記載の物品。
【請求項３０】
前記ディスプレイパネルが非ディスプレイ領域に装飾デザインを有する、請求項２２に記載の物品。
【請求項３１】
前記装飾デザインが射出成形、圧縮成形、熱成形、ブロー成形、ホットスタンピング、ラミネーションまたはそれらの組合せにより物品に形成されている、請求項２２に記載の物品。
【請求項３２】
携帯電話またはポケットベルのプラスチックカバーである、請求項１に記載の物品。
【請求項３３】
前記ディスプレイパネルがマイクロカップ（登録商標）ベースである、請求項３２に記載の物品。
【請求項３４】
個人の身の回り品である、請求項１に記載の物品。
【請求項３５】
玩具または教育デバイスである、請求項１に記載の物品。
【請求項３６】
携帯情報端末または電子書籍のプラスチックカバーである、請求項１に記載の物品。
【請求項３７】
クレジットもしくはスマートカードまたは身分証明書もしくは名刺である、請求項１に記載の物品。
【請求項３８】
アルバム、腕時計、掛けもしくは置き時計、ラジオまたはカメラのフェイスである、請求項１に記載の物品。
【請求項３９】
自動車のダッシュボードである、請求項１に記載の物品。
【請求項４０】
家庭用品である、請求項１に記載の物品。
【請求項４１】
ラップトップ型コンピュータのハウジング、一般消費者向け電子機器のキャリングケースまたはフロントコントロールパネルである、請求項１に記載の物品。
【請求項４２】
仮キャリア膜、リリース層、ディスプレイパネル、および接着剤または結合層およびオプションとして耐久層を含んで成る、インモールドディスプレイ転写膜または箔。
【請求項４３】
ディスプレイパネルとリリース層との間に接着剤層を更に含んで成る、インモールドディスプレイ転写膜または箔。
【請求項４４】
前記仮キャリア層がＰＥＴ、ＰＥＮまたはＰＣの薄いフィルムである、請求項４２に記載のインモールドディスプレイ転写膜または箔。
【請求項４５】
前記リリース層がワックス、パラフィンもしくはシリコーン、または放射線硬化性多官能アクリレート、シリコーンアクリレート、エポキシド、ビニルエステル、ビニルエーテル、アリルもしくはビニル、不飽和ポリエステルまたはそれらの混合物から作製される高度に平滑で不浸透性のコーティングから形成される、請求項４２に記載のインモールドディスプレイ転写膜または箔。
【請求項４６】
前記リリース層がエポキシ、ポリウレタン、ポリイミド、ポリアミド、メラミンホルムアルデヒド、ユリアホルムアルデヒドおよびフェノールホルムアルデヒドからなる群より選択される縮合重合体、共重合体、混合物または複合体を含む、請求項４２に記載のインモールドディスプレイ転写膜または箔。
【請求項４７】
前記オプションの耐久コーティングが放射線硬化性多官能アクリレート、エポキシド、ビニルエステル、ジアリルフタレート、ビニルエーテルまたはそれらの混合物から形成される、請求項４２に記載のインモールドディスプレイ転写膜または箔。
【請求項４８】
前記オプションの耐久コーティングが縮合重合体または共重合体を含む、請求項４２に記載のインモールドディスプレイ転写膜または箔。
【請求項４９】
前記縮合重合体または共重合体がエポキシ、ポリウレタン、ポリアミド、ポリイミド、メラミンホルムアルデヒド、ユリアホルムアルデヒド、およびフェノールホルムアルデヒドからなる群より選択される、請求項４８に記載のインモールドディスプレイ転写膜または箔。
【請求項５０】
前記オプションの耐久コーティングがゾル−ゲルシリケートまたはチタンエステルを含む、請求項４２に記載のインモールドディスプレイ転写膜または箔。
【請求項５１】
前記放射線硬化性多官能アクリレートがエポキシアクリレート、ポリウレタンアクリレート、ポリエステルアクリレート、シリコーンアクリレートまたはグリシジルアクリレートである、請求項４７に記載のインモールドディスプレイ転写膜または箔。
【請求項５２】
前記接着剤層がポリアクリレート、ポリメタクリレート、ポリスチレン、ポリカーボネート、ポリウレタン、ポリエステル、ポリアミド、エポキシ樹脂、エチレンビニルアセテート共重合体（ＥＶＡ）もしくは熱可塑性エラストマーまたはそれらの共重合体、混合物もしくは複合体から形成される、請求項４２に記載のインモールドディスプレイ転写膜または箔。
【請求項５３】
前記接着剤層がホットメルトまたは熱活性型接着剤である、請求項４２に記載のインモールドディスプレイ転写膜または箔。
【請求項５４】
前記接着剤層がポリウレタン、ポリアミド、またはそれらの共重合体、混合物もしくは複合体である、請求項４２に記載のインモールドディスプレイ転写膜または箔。
【請求項５５】
前記接着剤層がポリカーボネート、ポリアクリレート、ポリメタクリレートまたはそれらの共重合体、混合物もしくは複合材料である、請求項４２に記載のインモールドディスプレイ転写膜または箔。
【請求項５６】
ロールの形態を有する、請求項４２に記載のインモールドディスプレイ転写膜または箔。
【請求項５７】
キャリア層、ディスプレイパネルおよび接着剤層を含んで成る、インモールドディスプレイ挿入膜または箔。
【請求項５８】
前記ディスプレイパネルがキャリア層上に直接形成される、請求項５７に記載のインモールドディスプレイ挿入膜または箔。
【請求項５９】
ロールの形態を有する、請求項５７に記載のインモールドディスプレイ挿入膜または箔。
【請求項６０】
物品の上面に埋め込まれたディスプレイパネルを有する物品を製造する方法であって、
ａ）仮キャリア層、リリース層、ディスプレイパネル、接着剤層およびオプションとして耐久層を含んで成るインモールドディスプレイ転写膜または箔を形成し；
ｂ）該インモールドディスプレイ転写膜または箔を型内へ、仮キャリア膜が型の内面と接触するようにして供給し；
ｃ）該物品を形成するために型内へプラスチック材料を射出し；
ｄ）形成された物品を型から外し；および
ｅ）仮キャリア層およびリリース層の双方を同時に外す
ことを含む方法。
【請求項６１】
物品の上面に埋め込まれたディスプレイパネルを有する物品を製造する方法であって、
ａ）キャリア層、ディスプレイパネルおよび接着剤層を含んで成るインモールドディスプレイ挿入膜または箔を形成し；
ｂ）該インモールドディスプレイ挿入膜または箔を型内へ、該キャリア層が型の内面と接触するようにして供給し；
ｃ）該物品を形成するために該型内へプラスチック材料を射出し；
ｄ）形成された物品を型から外す
ことを含む方法。
【請求項６２】
前記ディスプレイパネルをキャリア層上に直接形成する、請求項６１に記載の方法。
【請求項６３】
物品の上面に埋め込まれたディスプレイパネルを有する物品を製造する方法であって、
ａ）仮キャリア層、リリース層、ディスプレイパネル、接着剤層およびオプションとして耐久層を含んで成るインモールドディスプレイ転写膜または箔を形成し；
ｂ）該インモールドディスプレイ転写膜または箔を型内へ、仮キャリア膜が型の内面と接触するようにして供給し；
ｃ）該物品を型内にてプラスチック材料により熱成形またはブロー成形し；
ｄ）形成された物品を型から外し；および
ｅ）仮キャリア層およびリリース層の双方を同時に外す
ことを含む方法。
【請求項６４】
物品の上面に埋め込まれたディスプレイパネルを有する物品を製造する方法であって、
ａ）キャリア層、ディスプレイパネルおよび接着剤層を含んで成るインモールドディスプレイ挿入膜または箔を形成し；
ｂ）該インモールドディスプレイ挿入膜または箔を型内へ、該キャリア層が型の内面と接触するようにして供給し；
ｃ）該物品を型内にてプラスチック材料により熱成形またはブロー成形し；
ｄ）形成された物品を型から外す
ことを含む方法。
【請求項６５】
前記ディスプレイパネルを前記キャリア膜上に直接形成する、請求項６４に記載の方法。
【請求項６６】
物品の上面に埋め込まれたディスプレイパネルを有する物品を製造する方法であって、
ａ）仮キャリア層、リリース層、ディスプレイパネル、接着剤層およびオプションとして耐久層を含んで成るインモールドディスプレイ転写膜または箔を形成し；
ｂ）該インモールドディスプレイ転写膜または箔を型内へ、仮キャリア膜が型の内面と接触するようにして供給し；
ｃ）該物品を型内にてプラスチック材料により圧縮成形し；
ｄ）形成された物品を型から外し；および
ｅ）仮キャリア層およびリリース層の双方を同時に外す
ことを含む方法。
【請求項６７】
物品の上面に埋め込まれたディスプレイパネルを有する物品を製造する方法であって、
ａ）キャリア層、ディスプレイパネルおよび接着剤層を含んで成るインモールドディスプレイ挿入膜または箔を形成し；
ｂ）該インモールドディスプレイ挿入膜または箔を型内へ、該キャリア層が型の内面と接触するようにして供給し；
ｃ）該物品を型内にてプラスチック材料により圧縮成形し；および
ｄ）形成された物品を型から外す
ことを含む方法。
【請求項６８】
前記ディスプレイパネルを前記キャリア膜上に直接形成する、請求項６７に記載の方法。
【発明の詳細な説明】
【関連出願の相互参照】
【０００１】
この出願は２００３年６月６日出願の米国仮出願第６０／４７６，８５２号に係る利益を享受することを求めるものであり、当該出願の内容は参照することによりその全体が本明細書に組み込まれる。
【背景技術】
【０００２】
技術分野
本発明は上面に埋め込まれたディスプレイパネルを有する物品およびその製造方法に関する。
【０００３】
関連技術の説明
現在、ディスプレイパネルを有する物品については、物品およびディスプレイパネルを別個に製造し、その後、これら２つの部材を一緒にして組み立てている。このような物品の組立には機械的な一体化（またはインテグレーション）またはラミネーションが通常必要であり、このため、通常、物品とディスプレイとの間の隙間が大きくなり、また、物品全体の厚さまたは体積が増すことになる。従って、現在の方法は、携帯型デバイスに特に重要な特徴であるスタイル、コンパクトさおよび耐久性などの所定の製品要件に適合できない。
【発明の要旨】
【０００４】
本発明の第１の要旨は上面に埋め込まれたディスプレイパネルを有する物品を対象としている。装飾デザイン（例えば文字（もしくは文章）または図形）を上面に表してもよい。
【０００５】
本発明の第２の要旨はインモールドディスプレイ転写膜または箔を対象としている。
【０００６】
本発明の第３の要旨はインモールドディスプレイ挿入膜または箔を対象としている。本発明のこの要旨において、ディスプレイパネルは電極層を含むキャリア膜上に形成してよい。
【０００７】
インモールドディスプレイ転写膜または箔あるいはインモールドディスプレイ挿入膜または箔におけるディスプレイパネルは任意のプラスチック（または可塑性物）ベース（またはプラスチックに基づく）ディスプレイ、例えば高分子分散型液晶ディスプレイ（ＰＤＬＣ）、コレステリック液晶ディスプレイ（ＣｈＬＣＤ）、有機発光デバイス（ＯＬＥＤ）、電気泳動ディスプレイ（ＥＰＤ）または他の粒子ベース（または粒子に基づく）ディスプレイなどであり得る。
【０００８】
本発明の第４の要旨は本発明の第１の要旨に係る物品の製造方法を対象としている。
【０００９】
本発明は幅広く様々な用途を有する。例えば、この物品は携帯電話またはポケットベルのプラスチックカバーとしてよく、その上面に埋め込まれたディスプレイパネルは文字メッセージ、時間および日付を表示でき、および／または電話呼出または多数の音声メールメッセージの着信をユーザに知らせるときにシグナルを点滅させたり、色を付したりできる。実際、本発明はプラスチック材料で出来ているあらゆる物品、例えば個人の身の回り品（例えばハンドバッグまたは財布）、玩具または教育（もしくは知育）デバイス、携帯情報端末（ＰＤＡ）または電子（ｅ−）書籍のプラスチックカバー、クレジットまたはスマートカード、身分証明書または名刺、アルバム、腕時計、掛けもしくは置き時計、ラジオもしくはカメラのフェイス（face：または表紙、文字盤もしくは操作盤などの外面）、自動車のダッシュボード、家庭用品（例えば腕、皿または瓶）、ラップトップ型コンピュータのハウジングおよび一般消費者向け電子機器のキャリングケースまたはフロントコントロールパネルなどに有用である。この一覧は全てを網羅していないことは明らかである。他の用途は当業者に明白であろう、またそれゆえにそれら全ては本発明の範囲に包含される。
【００１０】
プラスチックディスプレイを物品に埋め込む場合、シームレスな（または継ぎ目のない）一体化により極めて良好な外観が得られる。ディスプレイパネルは、物品表面が湾曲している場合であっても物品表面と一致させることができる。これにより、ディスプレイパネルは１つの一体的なまたはプリントされた物品部分のように見せることができる。本発明によれば、従来のディスプレイ組立技術では実現できなかった大面積プラスチックディスプレイを物品に埋め込むこともできる。
【００１１】
本発明の様々な態様を以下の詳細な説明および添付の図面に示す。
【発明の詳細な説明】
【００１２】
本発明はプロセス（もしくは方法）、装置、システム、合成物、コンピュータ読取可能な媒体、例えばコンピュータ読取可能な記憶媒体、または光学もしくは電子通信リンクを経てプログラム指示が送信されるコンピュータネットワークとして含む多くの態様で実施できる。本明細書において、これら実施または本発明が採り得る任意の他の形態を技術（technique）と言うことがある。一般的に、開示するプロセスの工程順序は本発明の範囲内で変更してよい。
【００１３】
本発明の１つ以上の態様の詳細な説明を、本発明の原理を図示する添付の図面に沿って以下に記載する。本発明をそのような態様に関して説明するが、本発明はいかなる態様にも限定されるものではない。本発明の範囲は特許請求の範囲によってのみ制限され、そして本発明は多数の変更、改変および均等物を包含する。本発明を完全に理解するため、以下の説明において多数の具体的な細部について述べる。これら細部は例示の目的で示すものであり、本発明はこれら具体的な細部のいくつかまたは全て無しに特許請求の範囲に従って実施できる。明瞭さのため、本発明に関連する技術分野において既知の技術的事項は、本発明を不必要に判り難くすることのないよう、詳細に説明していない。
【００１４】
図１は物品（１０）の上面に埋め込まれたディスプレイパネル（１１）を含む物品（１０）の上面図を示す。文字または図形のデザイン（１２）がオプションとして上面に表わされていてもよい。用語「埋め込まれた（または埋込）」は、本発明との関連において、物品を形成しようとするとき（物品を形成した後ではない）にディスプレイパネルが物品の上面に一体化されていることを示すよう意図したものである。
【００１５】
物品の形成に適する製造プロセスには、例えばホットスタンピング（または箔押）、ラミネーション、射出成形、熱成形、圧縮成形またはブロー成形が含まれ得る。スタンピング、ラミネーションまたは成形プロセスにて物品に適する材料の例には次のものが含まれるが、これらに限定されない：熱可塑性材料、例えばポリスチレン、ポリ塩化ビニル、アクリル樹脂（acrylics）、ポリスルホン、ポリアリールエステル、ポリプロピレンオキシド、ポリオレフィン、アクリロニトリル−ブタジエン−スチレン共重合体（ＡＢＳ）、メタクリレート−アクリロニトリル−ブタジエン−スチレン共重合体（ＭＡＢＳ）、ポリカーボネート、ポリブチレンテレフタレート（ＰＢＴ）、ポリエチレンテレフタレート（ＰＥＴ）、ポリウレタンおよび他の熱可塑性エラストマーまたはそれらの混合物（またはブレンド）など、ならびに熱硬化性材料、例えば反応射出成形グレードのポリウレタン、エポキシ樹脂、不飽和ポリエステル、ビニルエステルまたはそれらの複合体、プリプレグおよび混合物など。
【００１６】
（Ｉ）インモールドディスプレイ転写膜または箔
本発明の物品の製造において、ディスプレイパネルを含むインモールドディスプレイ転写膜または箔をまず作製する。
【００１７】
本願を通じて用語「インモールド（in-mold）」を使用するが、本発明はスタンピング、ラミネーション、またはスタンピングもしくはラミネーションと成形プロセスとの組合せなどのプロセスに拡張可能であることが理解される。
【００１８】
図２ａはそのようなインモールドディスプレイ転写膜または箔（２０）の断面図であり、これは仮（または一時的な）キャリア層（２１）、リリースコーティング（２２）、オプションの耐久コーティング（２３）、ディスプレイパネル（２４）および接着剤またはタイコート層（２５）を含んで成る。リリース層（２２）、存在する場合には耐久層（２３）、ディスプレイパネル（２４）および接着剤層（２５）をキャリア膜（２１）上に順次コートまたはラミネート（または積層）する。本願を通じて、説明を簡単にするためにこれらの異なる層をまとめて「インモールドディスプレイ転写膜または箔」と言うものとする。
【００１９】
インモールド転写プロセスにおいて、インモールドディスプレイ転写膜または箔を型内に、仮キャリア層（２１）が型の表面と接触するようにして供給する。
【００２０】
重要なエレメントであるディスプレイパネル（２４）は粒子ベースのディスプレイ、例えばＴ．  ＰｈａｍらによるＳＩＤ  ０２ダイジェスト第１１９頁（２００２年）に記載されるようなフリッピングボールディスプレイ；Ｒ．  ＨａｔｔｏｒｉらによるＳＩＤ  ０３ダイジェスト第８４６頁（２００３年）に記載されるような液体粉末ディスプレイ；または電気泳動ディスプレイ、とりわけ同時係属出願である米国特許出願第０９／５１８，４９９号（国際公開ＷＯ  ０１／０６９１７に対応）、米国特許出願第０９／８７９，４０８号（国際公開ＷＯ  ０２／１００１５５に対応）、米国特許出願第１０／４４７，７１９号（国際公開ＷＯ  ０３／１０２６７３に対応）、米国特許出願第１０／４２２，４１３号（国際公開ＷＯ  ０３／９１７９８に対応）、米国特許出願第１０／４２２，５５７号（国際公開ＷＯ  ０３／９１７８８に対応）、および米国特許出願第６０／３７５，９３６号に開示されるようなマイクロカップ（Microcup、登録商標）ＥＰＤなどであってよい。上記に引用したもの全ての開示内容は参照することにより本明細書に組み込まれる。
【００２１】
電気泳動ディスプレイは伝統的な（または従来の）アップ／ダウンスイッチングモードを有していてよい。これは同時係属出願である米国特許出願第１０／１９８，７２９号（国際公開ＷＯ  ０３／００９０５９に対応）および米国特許出願第１０／２２２，０３６号（国際公開ＷＯ  ０３／０１６９９３に対応）にそれぞれ開示されるインプレーンまたはデュアルスイッチングモードを有していてよく、これら双方の開示内容は参照することにより本明細書に組み込まれる。
【００２２】
また、ディスプレイパネルはＯＬＥＤ（organic light emitting device:有機発光デバイス）、ＰＬＥＤ（polymer light emitting device：ポリマー発光デバイス）または液晶ディスプレイ、特にポリマー分散型液晶（ＰＤＬＣ：polymer dispersed liquid crystal）、マイクロカップ（登録商標）ＬＣＤ（同時係属出願である米国特許出願第０９／７５９，２１２号（国際公開ＷＯ  ０２／５６０９７に対応）および米国特許出願第１０／１７８，９９０号に開示されるようなものであり、これら双方の開示内容は参照することにより本明細書に組み込まれる）またはコレステリック液晶デバイス（ＣｈＬＣＤ：cholesteric liquid crystal device）であってよい。ＰＤＬＣおよびＯＬＥＤ／ＰＬＥＤを含む反射型ディスプレイの概説はそれぞれ次の書籍に見ることができる：Ｐ．Ｓ．  Ｄｒｚａｉｃによる「液晶分散物（Liquid Crystal Dispersions）」、ワールドサイエンティフィックパブリッシング社（World Scientific Publishing Co.）（１９９５年）；Ｓ−Ｔ．  ＷｕおよびＤ−Ｋ，  Ｙａｎｇによる「反射型液晶ディスプレイ（Reflective Liquid Crystal Displays）」、ジョンワイリー・アンド・ソンズ（John Wiley & Sons）（２００１年）；およびＳＩＤ  ０３ダイジェスト（２００３年）。これら全ての開示内容もまた参照することにより本明細書に組み込まれる。
【００２３】
ディスプレイパネルは薄くて可撓性（またはフレキシブル）であることが好ましく、また、ディスプレイを形成するために使用する基材は射出成形などの転写プロセスにおける処理条件または他の成形条件にディスプレイが耐え得るように高い加熱撓み温度を有することが好ましい。プラスチックベースのディスプレイパネルが好ましい。用語「プラスチックベースのディスプレイパネル」とは、本発明との関連において、プラスチック基材層上に形成され、２つのプラスチック基材層の間に挟持され、あるいは透明プラスチック層と絶縁体で被覆した薄い金属もしくは金属酸化物箔またはガラスシートとの間に挟持されたディスプレイパネルを言うものとする。金属もしくは金属酸化物箔は炭素鋼もしくはステンレス鋼、Ａｌ、Ｓｎ、Ｎｉ、Ｃｕ、Ｚｎ、Ｍｇまたはそれらの合金、酸化物、複合体もしくは混合物などから形成できる。
【００２４】
図２ｃはプラスチックベースのマイクロカップ（登録商標）ディスプレイパネルの拡大図である。このパネル（２４）は複数のディスプレイセル（２６）、上部電極プレート（２７ａ）および底部電極プレート（２７ｂ）を有する。このディスプレイパネルは底部プラスチック基材層（２８ｂ）上に上部プラスチック基材層（２８ａ）を積層して、あるいはそれら双方に形成できる。プラスチック基材層（単数または複数）に適切な材料には次のものが含まれ得る：ポリエチレンテレフタレート（ＰＥＴ）、ポリブチレンテレフタレート（ＰＢＴ）、ポリエチレンナフタレート（ＰＥＮ）、ポリサイクリックオレフィンを含むポリオレフィン、ポリカーボネート（ＰＣ）、ポリメチルメタクリレート（ＰＭＭＡ）、ポリスルホン、ポリイミド（ＰＩ）、ポリアリールエステル、ポリスチレン、ポリウレタン、ポリシロキサンおよびそれらの共重合体、混合物または複合体。ＰＥＴ、ＰＢＴ、ＰＥＮおよびＰＣが好ましい。
【００２５】
マイクロカップ（登録商標）ベース（またはマイクロカップに基づく）ディスプレイにおいて、ディスプレイセル（２６）は熱可塑性物、熱可塑性エラストマー、熱硬化性物およびそれらの前駆体からなる群より選択される材料から形成されるシーリング層により上面が個々に封止される。
【００２６】
ディスプレイパネルとするため、上部電極層（２７ａ）側または底部電極層（２７ｂ）側のいずれかを表示側にできる。換言すれば、インモールドディスプレイ転写膜または箔では、上部電極層側または底部電極層側のいずれかを成形プロセス中にリリース層（２２）または存在する場合には耐久層（２３）に接触させ得る。
【００２７】
インプレーン電極基材および絶縁体基材を含むインプレーンスイッチングＥＰＤの場合、ディスプレイドライバおよび外部回路への接続を簡単にするために表示側は絶縁体側とすることが好ましい。
【００２８】
仮キャリア層（２１）は通常、約３．５〜約５０ミクロンの厚さを有する薄いプラスチックフィルムである。ＰＥＴ、ＰＥＮおよびＰＣフィルムは低コストであり、透明性が高く、および熱機械的に安定であるので特に好ましい。
【００２９】
インモールド転写ディスプレイ膜のリリースコーティング（２２）により、ディスプレイパネルへのダメージを最小限にしつつディスプレイパネルコーティングをキャリアからリリースする（または離す）ことができ、および成形する間に完全自動化ロール転写プロセスを実現できる。
【００３０】
リリースコーティングは通常、例えばワックス、パラフィンまたはシリコーンなどの材料から作製される低表面張力コーティング、または例えば放射線硬化性多官能アクリレート、シリコーンアクリレート、エポキシド、ビニルエステル、ビニルエーテル、アリルおよびビニル、不飽和ポリエステルまたはそれらの混合物などの材料から作製される高度に平滑で不浸透性（または不透過性）のコーティングである。リリース層はエポキシ、ポリウレタン、ポリイミド、ポリアミド、メラミンホルムアルデヒド、ユリアホルムアルデヒドおよびフェノールホルムアルデヒドからなる群より選択される縮合重合体、共重合体、混合物または複合体を含み得る。
【００３１】
オプションの耐久コーティング（２３）は、ディスプレイパネル（２４）および存在する場合にはインクまたは金属配線に対して保護層として機能する。耐久コーティングに適切な原料には次のものが含まれ得るが、これらに限定されない：エポキシアクリレート、ポリウレタンアクリレート、ポリエステルアクリレート、シリコーンアクリレート、グリシジルアクリレートを含む放射線硬化性多官能アクリレート、エポキシド、ビニルエステル、ジアリルフタレート、ビニルエーテルおよびそれらの混合物。オプションの耐久コーティングは縮合重合体または共重合体、例えばエポキシ、ポリウレタン、ポリアミド、ポリイミド、メラミンホルムアルデヒド、ユリアホルムアルデヒドまたはフェノールホルムアルデヒドなどを含み得る。オプションの耐久コーティングはゾル−ゲルシリケートまたはチタンエステル（titanium ester）を含み得る。
【００３２】
インモールド転写ディスプレイ膜の耐久層は部分的または完全に硬化していてよい。部分的に硬化させた場合、耐久性、特に硬度、引っ掻き抵抗性および耐油性を増強するため、成形および／または転写工程の後に後硬化工程が適用されよう。
【００３３】
リリース特性を改善するため、耐久層の原料、特に低分子量成分がリリース層へ浸透しないことが好ましい。耐久層をコートし、硬化または部分的に硬化させた後、耐久層はリリース層に対してわずかに適合性または非適合性となる。バインダおよび添加剤、例えば増粘剤、界面活性剤、分散剤、ＵＶ安定剤、または酸化防止剤などを使用して、レオロジー、濡れ性、コーティング特性、耐候性およびエージング特性を制御するようにしてよい。また、フィラー、例えばシリカ、Ａｌ２Ｏ３、ＴｉＯ２、ＣａＣＯ３、微結晶性ワックスまたはポリエチレン、テフロン（登録商標）または他の潤滑性粒子を添加して、例えば耐久層の引っ掻き抵抗および硬度を改善するようにしてもよい。耐久層は通常、約２〜約２０ミクロン、好ましくは約３〜約８ミクロンの厚さである。ディスプレイパネルを覆う領域における耐久層は透明であることが好ましい。
【００３４】
耐久層（２３）が存在しない場合、ディスプレイパネル（２４）における上部基材層（２８ａ）または底部基材層（２８ｂ）が保護層として機能し得る。この場合、表示側にあるディスプレイ基材層はディスプレイパネル領域を越えて延在して転写膜または箔のリリース膜の一部または全部を覆っていてよい。ディスプレイパネル（２４）はリリース層または存在する場合には耐久層上に直接に、場合により接着剤層（図示せず）によってラミネートされていてよい。
【００３５】
ディスプレイパネル（２４）および存在する場合にはインクまたは金属パターンを成形物品の上面に対して適切に付着させるために、接着剤層（２５）をディスプレイパネルコーティングに含める。接着剤層は、例えばポリアクリレート、ポリメタクリレート、ポリスチレン、ポリカーボネート、ポリウレタン、ポリエステル、ポリアミド、エポキシ樹脂、エチレンビニルアセテート共重合体（ＥＶＡ）もしくは熱可塑性エラストマーなど、またはそれらの共重合体、混合物もしくは複合体などの材料から形成され得る。ホットメルトまたは熱活性型接着剤、例えばポリウレタンおよびポリアミドが特に好ましい。接着剤層の厚さは約１〜約２０ミクロンの範囲、好ましくは約２〜約６ミクロンの範囲にあり得る。
【００３６】
耐久層が存在する場合、印刷インクまたは金属パターンはディスプレイパネル（２４）と耐久層（２３）との間、または耐久層（２３）と接着剤層（２５）との間で、ディスプレイが存在しない領域にて存在してよい。耐久層が存在しない場合は、印刷インクまたは金属パターンがディスプレイに下記第IV章にて説明するように存在してよい。
【００３７】
（II）インモールドディスプレイ挿入膜または箔
図２ｂはインモールドディスプレイ挿入膜または箔の概略断面図である。この場合、キャリア層（２１ａ）はスタンピング、ラミネーションまたは成形プロセス後の最終製品の一部となる。ディスプレイパネル（２４）はキャリア膜（２１ａ）上に接着剤層（図示せず）によってラミネートされ、および場合により他方側はホットメルトまたは熱活性型接着剤（２５）でオーバーコートされ得る。別法では、当該技術分野において既知の方法、例えば同時係属出願である米国特許出願第０９／５１８，４８８号に記載されるような方法によってディスプレイパネルをキャリア膜上に直接作製し得る。この場合、キャリア膜にはインジウムスズ酸化物（ＩＴＯ）などの透明電極層が含まれていてよい。
【００３８】
インモールドディスプレイ転写膜または箔と同様に、印刷インクおよび金属パターンはディスプレイパネルとキャリア膜との間、またはキャリア膜と接着剤層（２５）との間で、ディスプレイが存在しない領域にて存在してよい。本願を通じて、説明を簡単にするためにこれらの異なる層をまとめて「インモールドディスプレイ挿入膜または箔」と言うものとする。
【００３９】
（III）物品の製造
典型的なインモールド転写プロセスを図３ａに示す。この成形プロセスでは、インモールドディスプレイ転写膜または箔をロールまたはウェブにて成形機械内へ連続的に供給する。型（３０）は物品（３６ｂ）用の射出成形または圧縮成形型であり得る。成形プロセスの間、型を閉じ、物品形成用のプラスチック溶融物を射出ノズルおよびランナを通じて型の空洞部（３６ａ）へ射出（または注入）する。成形後、ディスプレイパネル、存在する場合には耐久層、および存在する場合にはインクおよび金属装飾パターンも、成形された物品に転写される。この成形物品を型から外す。また仮キャリア層（３１）およびリリース層（３２）も、存在する場合には耐久層（３３）を残しつつ同時に外すと、物品の表面の最上部層は物品と一体的な部分として下方に埋め込まれたディスプレイパネル（３４）を有するものとなる。層（３５）は接着剤層である。
【００４０】
型に対するディスプレイ転写膜の位置合わせを容易にするため、ロールまたはウェブに位置合わせマークを予め印刷し、例えば光学センサによって位置合わせをして型内へ連続的に供給してよい。
【００４１】
耐久層（３３）が存在しない場合、ディスプレイパネル（３４）の一方のプラスチック基材層が、物品の表面にある最上部層となるであろう。
【００４２】
図３ｂに示すようなインモールド挿入プロセスでは、まずインモールドディスプレイ挿入膜または箔を適当な寸法および形状に切断し、その後、型（３０）内に挿入する。インモールドディスプレイ挿入膜を図示するように型の壁面に接触させ、場合により真空下にて配置する。ディスプレイパネルコーティングは手で配置でき、その挿入を容易にするために静電気を使用してもよく、あるいは挿入を機械化してもよい。挿入を機械化することは大量生産に特に好都合である。
【００４３】
ディスプレイ挿入膜のキャリア層（３１ａ）は型の内壁面と接触している。その後、型を閉じ、物品（３６ｂ）形成用のプラスチック溶融物を射出ノズルおよびランナを通じて型の空洞部（３６ａ）へ射出する。この場合、キャリア膜（３１ａ）は最終製品と一体化した部分となり得る。場合により、ディスプレイ挿入膜は型に挿入する前に所定の形状に熱成形しても、ダイカットしてもよい。
【００４４】
２つのタイプの製造プロセスのいずれかに使用する型は、ディスプレイパネル挿入または転写を念頭において設計しなければならない。適切な熱転写をディスプレイパネルにある様々な層を介して確実に行うため、ゲート位置はディスプレイパネルを型の空洞部に抗して押さえ付けることができるようにしなければならない。また、ディスプレイパネルの電極が成形後、次のディスプレイドライバおよび外部回路への接続のために露出するように、型を設計しなければならない。加えて、成形材料を切断するに先立って、成形流れおよび充填分析を実施すべきである。また、成形ホットスポットを最小限にするため、成形冷却分析も考慮すべきである。最後に、成形温度の設定にはディスプレイパネルの存在を考慮しなければならない。
【００４５】
ディスプレイパネルを外部回路およびドライバに接続するコネクタは図２ａまたは図２ｂのいずれにも図示していない。インモールドディスプレイ転写膜または箔あるいはインモールドディスプレイ挿入膜または箔はロールの形態であってよい。
【００４６】
図４ａはディスプレイパネルが上面に埋め込まれた固い物品の断面図である。物品（４０）は図示するように開口した穴またはスロット（４１）の形態を有する接続空洞部を本体中に有して、ディスプレイパネル（４２）を必要な回路に接続できるようになっていてよい。ディスプレイの電極（４３）はドライバ接続のための穴またはスロットを介して通じ（route）、そして露出する。ＡＣＦ、導電性ＰＳＡまたは銀ペーストなどの導電性接着剤（４５）または機械的取付具のいずれかにより、電気コード（flex）ケーブル（４４）または他のタイプの柔軟な接続ハーネスを電極に取り付けることができる。
【００４７】
図４ｂは結合領域を固定し、および電極接続の信頼性を高めるために更に挿入することのできるスナップ式（または内嵌：snap-in）プラグ（４６）を図示する。ダイレクトドライブディスプレイでは、コモン電極が表示側に配置され、インモールドディスプレイ挿入膜または箔の場合、コモン電極はキャリアフィルム上に適用される。ダイレクトドライブディスプレイのセグメント電極はバイアス（vias）（スルーホール）を介して、ディスプレイの裏面に配置されている接続パッドに通じている。アクティブマトリックスディスプレイでは、コモン電極が表示側に配置され、および可撓性のアクティブスイッチング成分層が非表示側に配置される。信号接続パッドがディスプレイの裏面に配置され、バイアスを介してアクティブスイッチング成分に通じている。パッシブマトリックスディスプレイでは、接続プロセスを簡単にするため、全ての行電極および列電極を裏面に通じさせるべきである。通じさせること（routing）は、バイアスまたはフレキシブル回路アダプタを介して行うことができる。これら３つのタイプのディスプレイ、即ち、ダイレクトドライブ、アクティブマトリックスおよびパッシブマトリックスでは、場合によりディスプレイドライバ（４７）をディスプレイに配置して接続パッドの数を減らすことができ、更にこれにより接続の質を改善し、および製造コストを削減することができる。
【００４８】
別法では、ブロー成形または熱成形により、回路を収容する内側空洞部を形成するように物品を形成することができる。ブロー成形または熱成形により物品を製造するには、まず、ディスプレイ転写または挿入膜を開いた型内に配置して所定の場所に、例えば真空または張力により保持する；その後、型を閉じる。物品形成用のプラスチック材料を熱成形し、または型内へブローする。ディスプレイパネルは、射出または圧縮成形プロセスと同様、例えばカップまたはボトルなどの成形物品の上面に付着し、および埋め込まれる。
【００４９】
別法では、圧縮成形、ホットスタンピングまたはラミネーションなどの他の成形プロセスにより物品を形成し得る。
【００５０】
（IV）装飾デザインの適用
文字および／または図形のデザインも物品の上面に表わされていてよい。最も一般的なデザインにはブランド名、ロゴもしくはシンボルまたは他の装飾的なデザインが含まれる。
【００５１】
装飾デザインを適用する（または施す）伝統的な方法にはスクリーン印刷、パッド印刷、ホットスタンピング、ラミネーションおよび塗装が含まれる。これら方法は歴史的には、追加の処理工程を要する後成形操作であった。
【００５２】
近年、代替となる装飾方法、例えばインモールド箔、インサート成形または昇華熱転写などが使用されてきている。図５および６はインモールド装飾プロセスを図示する。
【００５３】
図５はインモールドディスプレイ転写または挿入膜におけるディスプレイパネルの拡大図である。このディスプレイパネルは複数のディスプレイセル（５０）、上部電極層（５１）、底部電極層（５２）および上部プラスチック基材層（５３）を含んで成る。装飾デザインを上部プラスチック基材層の第１面（５４）または第２面（５５、裏側）にスクリーン印刷できる。底部電極層（５２）が底部基材層（５７）上に配置され、底部基材層（５７）は接着剤または結合（またはタイ）層（図示せず）によりプラスチック成形物品（図示せず）に結合させ得る。底部基材層は上述のようなプラスチック層、あるいは絶縁体で被覆した金属もしくは金属酸化物箔であって、炭素鋼、ステンレス鋼、Ａｌ、Ｓｎ、Ｎｉ、Ｃｕ、Ｚｎ、Ｍｇまたはそれらの合金もしくは酸化物から形成されるものであってよい。
【００５４】
図６は装飾デザインが上部耐久層（６６）の下方にある上部プラスチック基材層（６３）の第１面（６４）に、あるいはディスプレイの第１電極層（６１）の上方にある上部基材層（６３）の第２面に印刷された別の態様を示す。装飾パターンが第１面（６４）にある場合、表面の硬度、引っ掻き抵抗性および耐油性を改善するためには上方に耐久層（６６）があることが極めて望ましい。図５にて説明したインモールドディスプレイ膜と同様に、底部電極層（６２）が底部基材層（６７）上に配置され、底部基材層（６７）は接着剤または結合層（図示せず）によりプラスチック成形物品（図示せず）に結合させ得る。底部基材層は上述のようなプラスチック層、あるいは絶縁体で被覆した金属もしくは金属酸化物箔であって、炭素鋼、ステンレス鋼、Ａｌ、Ｓｎ、Ｎｉ、Ｃｕ、Ｚｎ、Ｍｇまたはそれらの合金もしくは酸化物から形成されるものであってよい。
【００５５】
装飾デザインは熱成形によっても形成できる。この場合、キャリア膜は成形物品の一部となり、隆起したまたは窪んだパターンを有する装飾層全体は、典型的には厚さが約０．２〜約１ｍｍの範囲、好ましくは約０．３〜約０．７ｍｍの範囲にある。これは通常、ＡＢＳ、ポリスチレンまたはＰＶＣシートを型内で熱成形して得られる。
【００５６】
別法では、装飾層はフィルムに装飾デザインを形成するように高圧空気を用いることを含む高圧成形によっても形成できる。また、装飾層は空気でなく静水嚢（hydrostatic bladder）が形成機構として機能するハイドロフォーミングによっても形成できる。
【００５７】
また、上述の方法のいずれか１つから作製される装飾層は、ディスプレイパネルと重ならない領域に戦略的に印刷された装飾デザインを有する必要があることに留意されるべきである。換言すれば、装飾デザインはディスプレイイメージ（または表示像）を邪魔してはいけない。
【００５８】
本発明の特定の態様を参照しつつ本発明を説明してきたが、本発明の真の概念および範囲を逸脱することなく様々な変更がなされ得ることおよび均等物で置換され得ることが理解される。加えて、個々の状況に適合させるために多くの改変がなされ得る。そのような全ての改変は本発明の範囲に属するように意図するものである。
【００５９】
上記態様は明確な理解のために幾分詳細に説明したものであるが、本発明はそのような詳細なものに限定されない。本発明を実施する多くの別の方法が存在する。開示した態様は例示的なものであって、制限的なものではない。
【図面の簡単な説明】
【００６０】
【図１】本発明の物品の上面図を示す。
【図２ａ】ディスプレイパネルを含むインモールド転写膜または箔の断面図である。
【図２ｂ】ディスプレイパネルを含むインモールド挿入膜または箔の断面図である。
【図２ｃ】代表的なプラスチックベースのディスプレイパネルの拡大図である。
【図３ａ】インモールド転写膜または箔を用いる射出成形プロセスの断面図である。
【図３ｂ】インモールド挿入膜または箔を用いる射出成形プロセスの断面図である。
【図４ａ】内側空洞部を有する本発明の物品を図示する。
【図４ｂ】内側空洞部を有する本発明の物品を図示する。
【図５】本発明の物品への装飾デザインの適用を図示する。
【図６】本発明の物品への装飾デザインの適用を図示する。
【図１】
2007535416.tif 000003
2007535416.tif 000004
2007535416.tif 000005
2007535416.tif 000006
2007535416.tif 000007
2007535416.tif 000008
【図５】
2007535416.tif 000009
【図６】
2007535416.tif 000010
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
上面に埋め込まれたディスプレイパネルを有するプラスチック物品。
【請求項２】
成形、スタンピング、ラミネーションまたはそれらの組合せにより形成される、請求項１に記載の物品。
【請求項３】
熱可塑性材料、熱可塑性エラストマー、熱硬化性材料およびそれらの混合物、プリプレグまたは複合体からなる群より選択される材料から形成される、請求項１に記載の物品。
【請求項４】
前記熱可塑性材料がポリスチレン、ポリ塩化ビニル、アクリル樹脂、ポリスルホン、ポリアリールエステル、ポリプロピレンオキシド、ポリオレフィン、アクリロニトリル−ブタジエン−スチレン共重合体（ＡＢＳ）、メタクリレート−アクリロニトリル−ブタジエン−スチレン共重合体（ＭＡＢＳ）、ポリカーボネート、ポリブチレンテレフタレート（ＰＢＴ）、ポリエチレンテレフタレート（ＰＥＴ）、ポリウレタンまたはそれらの複合体、プリプレグもしくは混合物である、請求項３に記載の物品。
【請求項５】
前記熱硬化性材料が反応射出成形グレードのポリウレタン、エポキシ樹脂、不飽和ポリエステル、ビニルエステルまたはそれらの複合体、プリプレグもしくは混合物である、請求項３に記載の物品。
【請求項６】
前記ディスプレイパネルが電気泳動ディスプレイ、フリッピングボールディスプレイ、液体粉末ディスプレイ、液晶ディスプレイ、ＯＬＥＤ、ＰＬＥＤ、または他の粒子タイプのディスプレイである、請求項１に記載の物品。
【請求項７】
前記電気泳動ディスプレイまたは液晶ディスプレイがマイクロカップ（登録商標）ベースである、請求項６に記載の物品。
【請求項８】
前記ディスプレイパネルがプラスチック基材層上に形成され、２つのプラスチック基材層の間に挟持され、または透明プラスチック層と薄い金属もしくは金属酸化物箔またはガラスシートとの間に挟持される、請求項１に記載の物品。
【請求項９】
前記プラスチック基材層がポリエチレンテレフタレート（ＰＥＴ）、ポリブチレンテレフタレート（ＰＢＴ）、ポリエチレンナフタレート（ＰＥＮ）、ポリオレフィン、ポリカーボネート（ＰＣ）、ポリメチルメタクリレート（ＰＭＭＡ）、ポリスルホン、ポリイミド（ＰＩ）、ポリアリールエステル、ポリスチレン、ポリウレタン、ポリシロキサンまたはそれらの共重合体、混合物もしくは複合体から形成される、請求項８に記載の物品。
【請求項１０】
前記金属もしくは金属酸化物箔が鋼、Ａｌ、Ｓｎ、Ｎｉ、Ｃｕ、Ｚｎ、Ｍｇまたはそれらの合金、酸化物、複合体もしくは混合物から形成される、請求項８に記載の物品。
【請求項１１】
装飾デザインをその上面に更に含む、請求項１に記載の物品。
【請求項１２】
前記装飾デザインが後成形またはインモールドプロセスにより適用される、請求項１１に記載の物品。
【請求項１３】
前記ディスプレイパネルが、上部表示側可撓性基材層と底部可撓性基材層との間に挟持される複数のディスプレイセルを含む、請求項１１に記載の物品。
【請求項１４】
底部可撓性基材層がプラスチック基材層、薄い金属もしくは金属酸化物箔またはガラスシートである、請求項１３に記載の物品。
【請求項１５】
前記装飾デザインが射出成形、圧縮成形、熱成形、ブロー成形、ホットスタンピング、ラミネーションまたはそれらの組合せにより物品に形成されている、請求項１１に記載の物品。
【請求項１６】
携帯電話またはポケットベルのプラスチックカバー、個人の身の回り品、玩具または教育デバイス、携帯情報端末または電子書籍のプラスチックカバー、クレジットもしくはスマートカードまたは身分証明書もしくは名刺、アルバム、腕時計、掛けもしくは置き時計、ラジオまたはカメラのフェイス、自動車のダッシュボード、家庭用品、ラップトップ型コンピュータのハウジング、一般消費者向け電子機器のキャリングケースまたはフロントコントロールパネルである、請求項１に記載の物品。
【請求項１７】
仮キャリア層、リリース層、ディスプレイパネル、および接着剤または結合層およびオプションとして耐久層を含んで成る、インモールドディスプレイ転写膜または箔。
【請求項１８】
前記仮キャリア層がＰＥＴ、ＰＥＮまたはＰＣの薄いフィルムである、請求項１７に記載のインモールドディスプレイ転写膜または箔。
【請求項１９】
前記リリース層がワックス、パラフィンもしくはシリコーン、または放射線硬化性多官能アクリレート、シリコーンアクリレート、エポキシド、ビニルエステル、ビニルエーテル、アリルもしくはビニル、不飽和ポリエステルまたはそれらの混合物から作製される高度に平滑で不浸透性のコーティングから形成される、請求項１７に記載のインモールドディスプレイ転写膜または箔。
【請求項２０】
前記リリース層がエポキシ、ポリウレタン、ポリイミド、ポリアミド、メラミンホルムアルデヒド、ユリアホルムアルデヒドおよびフェノールホルムアルデヒドからなる群より選択される縮合重合体、共重合体、混合物または複合体を含む、請求項１７に記載のインモールドディスプレイ転写膜または箔。
【請求項２１】
前記オプションの耐久層が放射線硬化性多官能アクリレート、エポキシド、ビニルエステル、ジアリルフタレート、ビニルエーテルまたはそれらの混合物から形成される、請求項１７に記載のインモールドディスプレイ転写膜または箔。
【請求項２２】
前記オプションの耐久層が縮合重合体または共重合体を含む、請求項１７に記載のインモールドディスプレイ転写膜または箔。
【請求項２３】
前記オプションの耐久コーティングがゾル−ゲルシリケートまたはチタンエステルを含む、請求項１７に記載のインモールドディスプレイ転写膜または箔。
【請求項２４】
前記接着剤層がポリアクリレート、ポリメタクリレート、ポリスチレン、ポリカーボネート、ポリウレタン、ポリエステル、ポリアミド、エポキシ樹脂、エチレンビニルアセテート共重合体（ＥＶＡ）もしくは熱可塑性エラストマーまたはそれらの共重合体、混合物もしくは複合体から形成される、請求項１７に記載のインモールドディスプレイ転写膜または箔。
【請求項２５】
前記接着剤層がホットメルトまたは熱活性型接着剤である、請求項１７に記載のインモールドディスプレイ転写膜または箔。
【請求項２６】
キャリア層、ディスプレイパネルおよび接着剤層を含んで成る、インモールドディスプレイ挿入膜または箔。
【請求項２７】
物品の上面に埋め込まれたディスプレイパネルを有する物品を製造する方法であって、
ａ）仮キャリア層、リリース層、ディスプレイパネル、接着剤層およびオプションとして耐久層を含んで成るインモールドディスプレイ転写膜または箔を形成し；
ｂ）該インモールドディスプレイ転写膜または箔を型内へ、仮キャリア膜が型の内面と接触するようにして供給し；
ｃ）該物品を形成するために型内へプラスチック材料を射出し、該物品を型内にてプラスチック材料により熱成形またはブロー成形し、あるいは該物品を型内にてプラスチック材料により圧縮成形し；
ｄ）形成された物品を型から外し；および
ｅ）仮キャリア層およびリリース層の双方を同時に外す
ことを含む方法。
【請求項２８】
物品の上面に埋め込まれたディスプレイパネルを有する物品を製造する方法であって、
ａ）キャリア層、ディスプレイパネルおよび接着剤層を含んで成るインモールドディスプレイ挿入膜または箔を形成し；
ｂ）該インモールドディスプレイ挿入膜または箔を型内へ、該キャリア層が型の内面と接触するようにして挿入し；
ｃ）該物品を形成するために該型内へプラスチック材料を射出し、該物品を型内にてプラスチック材料により熱成形またはブロー成形し、あるいは該物品を型内にてプラスチック材料により圧縮成形し；
ｄ）形成された物品を型から外す
ことを含む方法。
【手続補正２】
【補正対象書類名】明細書
【補正対象項目名】０００９
【補正方法】変更
【補正の内容】
【０００９】
本発明は幅広く様々な用途を有する。例えば、この物品は携帯電話またはポケットベルのプラスチックカバーとしてよく、その上面に埋め込まれたディスプレイパネルは文字メッセージ、時間および日付を表示でき、および／または電話呼出または多数の音声メールメッセージの着信をユーザに知らせるときにシグナルを点滅させたり、色を付したりできる。実際、本発明はプラスチック材料で出来ているあらゆる物品、例えば個人の身の回り品（例えばハンドバッグまたは財布）、玩具または教育（もしくは知育）デバイス、携帯情報端末（ＰＤＡ）または電子（ｅ−）書籍のプラスチックカバー、クレジットまたはスマートカード、身分証明書または名刺、アルバム、腕時計、掛けもしくは置き時計、ラジオもしくはカメラのフェイス（face：または表紙、文字盤もしくは操作盤などの外面）、自動車のダッシュボード、家庭用品（例えば椀、皿または瓶）、ラップトップ型コンピュータのハウジングおよび一般消費者向け電子機器のキャリングケースまたはフロントコントロールパネルなどに有用である。この一覧は全てを網羅していないことは明らかである。他の用途は当業者に明白であろう、またそれゆえにそれら全ては本発明の範囲に包含される。
【手続補正３】
【補正対象書類名】明細書
【補正対象項目名】００２３
【補正方法】変更
【補正の内容】
【００２３】
ディスプレイパネルは薄くて可撓性（またはフレキシブル）であることが好ましく、また、ディスプレイパネルを形成するために使用する基材は射出成形などの転写プロセスにおける処理条件または他の成形条件にディスプレイが耐え得るように高い加熱撓み温度を有することが好ましい。プラスチックベースのディスプレイパネルが好ましい。用語「プラスチックベースのディスプレイパネル」とは、本発明との関連において、プラスチック基材層上に形成され、２つのプラスチック基材層の間に挟持され、あるいは透明プラスチック層と絶縁体で被覆した薄い金属もしくは金属酸化物箔またはガラスシートとの間に挟持されたディスプレイパネルを言うものとする。金属もしくは金属酸化物箔は炭素鋼もしくはステンレス鋼、Ａｌ、Ｓｎ、Ｎｉ、Ｃｕ、Ｚｎ、Ｍｇまたはそれらの合金、酸化物、複合体もしくは混合物などから形成できる。
【手続補正４】
【補正対象書類名】明細書
【補正対象項目名】００２４
【補正方法】変更
【補正の内容】
【００２４】
図２ｃはプラスチックベースのマイクロカップ（登録商標）ディスプレイパネルの拡大図である。このパネル（２４）は複数のディスプレイセル（２６）、上部電極プレート（２７ａ）および底部電極プレート（２７ｂ）を有する。このディスプレイパネルは底部プラスチック基材層（２８ｂ）上に、上部プラスチック基材層（２８ａ）を積層して、あるいはそれら双方を積層して形成できる。プラスチック基材層（単数または複数）に適切な材料には次のものが含まれ得る：ポリエチレンテレフタレート（ＰＥＴ）、ポリブチレンテレフタレート（ＰＢＴ）、ポリエチレンナフタレート（ＰＥＮ）、ポリサイクリックオレフィンを含むポリオレフィン、ポリカーボネート（ＰＣ）、ポリメチルメタクリレート（ＰＭＭＡ）、ポリスルホン、ポリイミド（ＰＩ）、ポリアリールエステル、ポリスチレン、ポリウレタン、ポリシロキサンおよびそれらの共重合体、混合物または複合体。ＰＥＴ、ＰＢＴ、ＰＥＮおよびＰＣが好ましい。
【手続補正５】
【補正対象書類名】明細書
【補正対象項目名】００３６
【補正方法】変更
【補正の内容】
【００３６】
耐久層が存在する場合、印刷インクまたは金属パターンはディスプレイパネル（２４）と耐久層（２３）との間、または耐久層（２３）と接着剤層（２５）との間で、ディスプレイが存在しない領域にて存在してよい。耐久層が存在しない場合は、印刷インクまたは金属パターンがディスプレイパネルに下記第IV章にて説明するように存在してよい。
【手続補正６】
【補正対象書類名】明細書
【補正対象項目名】００４７
【補正方法】変更
【補正の内容】
【００４７】
図４ｂは結合領域を固定し、および電極接続の信頼性を高めるために更に挿入することのできるスナップ式（または内嵌：snap-in）プラグ（４６）を図示する。ダイレクトドライブディスプレイでは、コモン電極が表示側に配置され、インモールドディスプレイ挿入膜または箔の場合、コモン電極はキャリア膜上に適用される。ダイレクトドライブディスプレイのセグメント電極はバイアス（vias）（スルーホール）を介して、ディスプレイの裏面に配置されている接続パッドに通じている。アクティブマトリックスディスプレイでは、コモン電極が表示側に配置され、および可撓性のアクティブスイッチング部材層が非表示側に配置される。信号接続パッドがディスプレイの裏面に配置され、バイアスを介してアクティブスイッチング部材に通じている。パッシブマトリックスディスプレイでは、接続プロセスを簡単にするため、全ての行電極および列電極を裏面に通じさせるべきである。通じさせること（routing）は、バイアスまたはフレキシブル回路アダプタを介して行うことができる。これら３つのタイプのディスプレイ、即ち、ダイレクトドライブ、アクティブマトリックスおよびパッシブマトリックスでは、場合によりディスプレイドライバ（４７）をディスプレイに配置して接続パッドの数を減らすことができ、更にこれにより接続の質を改善し、および製造コストを削減することができる。
【手続補正７】
【補正対象書類名】明細書
【補正対象項目名】００５４
【補正方法】変更
【補正の内容】
【００５４】
図６は装飾デザインが上部耐久層（６６）の下方にある上部プラスチック基材層（６３）の第１面（６４）に、あるいはディスプレイの第１電極層（６１）の上方にある上部基材層（６３）の第２面（６５）に印刷された別の態様を示す。装飾パターンが第１面（６４）にある場合、表面の硬度、引っ掻き抵抗性および耐油性を改善するためには上方に耐久層（６６）があることが極めて望ましい。図５にて説明したインモールドディスプレイ膜と同様に、底部電極層（６２）が底部基材層（６７）上に配置され、底部基材層（６７）は接着剤または結合層（図示せず）によりプラスチック成形物品（図示せず）に結合させ得る。底部基材層は上述のようなプラスチック層、あるいは絶縁体で被覆した金属もしくは金属酸化物箔であって、炭素鋼、ステンレス鋼、Ａｌ、Ｓｎ、Ｎｉ、Ｃｕ、Ｚｎ、Ｍｇまたはそれらの合金もしくは酸化物から形成されるものであってよい。
【手続補正８】
【補正対象書類名】明細書
【補正対象項目名】００５９
【補正方法】変更
【補正の内容】
【００５９】
上記態様は明確な理解のために幾分詳細に説明したものであるが、本発明はそのような詳細なものに限定されない。本発明を実施する多くの別の方法が存在する。開示した態様は例示的なものであって、制限的なものではない。
本願発明は以下の態様を含む。
（態様１）
上面に埋め込まれたディスプレイパネルを有するプラスチック物品。
（態様２）
前記ディスプレイパネルが前記物品の非ディスプレイ部分とシームレスに結合している、態様１に記載の物品。
（態様３）
成形、スタンピング、ラミネーションまたはそれらの組合せにより形成される、態様１に記載の物品。
（態様４）
前記成形プロセスが射出成形、圧縮成形、熱成形またはブロー成形である、態様３に記載の物品。
（態様５）
前記ディスプレイパネルが前記物品の上面と密接に接触している、態様１に記載の物品。
（態様６）
前記ディスプレイパネルの上部表示基材層が物品の上部層と同一である、態様１に記載の物品。
（態様７）
熱可塑性材料、熱可塑性エラストマー、熱硬化性材料およびそれらの混合物、プリプレグまたは複合体からなる群より選択される材料から形成される、態様１に記載の物品。
（態様８）
前記熱可塑性材料がポリスチレン、ポリ塩化ビニル、アクリル樹脂、ポリスルホン、ポリアリールエステル、ポリプロピレンオキシド、ポリオレフィン、アクリロニトリル−ブタジエン−スチレン共重合体（ＡＢＳ）、メタクリレート−アクリロニトリル−ブタジエン−スチレン共重合体（ＭＡＢＳ）、ポリカーボネート、ポリブチレンテレフタレート（ＰＢＴ）、ポリエチレンテレフタレート（ＰＥＴ）、ポリウレタンまたはそれらの複合体、プリプレグもしくは混合物である、態様７に記載の物品。
（態様９）
前記熱硬化性材料が反応射出成形グレードのポリウレタン、エポキシ樹脂、不飽和ポリエステル、ビニルエステルまたはそれらの複合体、プリプレグもしくは混合物である、態様７に記載の物品。
（態様１０）
前記ディスプレイパネルが電気泳動ディスプレイ、フリッピングボールディスプレイ、液体粉末ディスプレイまたは他の粒子タイプのディスプレイである、態様１に記載の物品。
（態様１１）
前記電気泳動ディスプレイがマイクロカップ（登録商標）ベースである、態様１０に記載の物品。
（態様１２）
前記ディスプレイパネルが液晶ディスプレイである、態様１に記載の物品。
（態様１３）
前記液晶ディスプレイがマイクロカップ（登録商標）ベースである、態様１２に記載の物品。
（態様１４）
前記電気泳動ディスプレイが伝統的なアップ／ダウン、インプレーンまたはデュアルスイッチングモードを有する、態様１０に記載の物品。
（態様１５）
前記ディスプレイパネルがＯＬＥＤまたはＰＬＥＤである、態様１に記載の物品。
（態様１６）
前記液晶ディスプレイがポリマー分散型液晶またはコレステリック液晶ディスプレイである、態様１２に記載の物品。
（態様１７）
前記ディスプレイパネルがプラスチック基材層上に形成され、２つのプラスチック基材層の間に挟持され、または透明プラスチック層と薄い金属もしくは金属酸化物箔またはガラスシートとの間に挟持される、態様１に記載の物品。
（態様１８）
前記プラスチック基材層がポリエチレンテレフタレート（ＰＥＴ）、ポリブチレンテレフタレート（ＰＢＴ）、ポリエチレンナフタレート（ＰＥＮ）、ポリオレフィン、ポリカーボネート（ＰＣ）、ポリメチルメタクリレート（ＰＭＭＡ）、ポリスルホン、ポリイミド（ＰＩ）、ポリアリールエステル、ポリスチレン、ポリウレタン、ポリシロキサンまたはそれらの共重合体、混合物もしくは複合体から形成される、態様１７に記載の物品。
（態様１９）
前記プラスチック基材材料がＰＥＴ、ＰＢＴ、ＰＥＮまたはＰＣから形成される、態様１７に記載の物品。
（態様２０）
前記金属もしくは金属酸化物箔が鋼、Ａｌ、Ｓｎ、Ｎｉ、Ｃｕ、Ｚｎ、Ｍｇまたはそれらの合金、酸化物、複合体もしくは混合物から形成される、態様１７に記載の物品。
（態様２１）
前記鋼は炭素鋼またはステンレス鋼である、態様２０に記載の物品。
（態様２２）
装飾デザインをその上面に更に含む、態様１に記載の物品。
（態様２３）
前記装飾デザインが後成形により適用される、態様２２に記載の物品。
（態様２４）
前記装飾デザインがインモールドプロセスにより適用される、態様２２に記載の物品。
（態様２５）
前記ディスプレイパネルが、上部表示側可撓性基材層と底部可撓性基材層との間に挟持される複数のディスプレイセルを含む、態様２２に記載の物品。
（態様２６）
前記上部表示側可撓性基材層が透明基材層である、態様２５に記載の記載の物品。
（態様２７）
前記上部表示側可撓性基材層が透明プラスチック基材層である、態様２６に記載の物品。
（態様２８）
底部可撓性基材層がプラスチック基材層、薄い金属もしくは金属酸化物箔またはガラスシートである、態様２５に記載の物品。
（態様２９）
前記装飾デザインが上部表示側基材層の片側に表わされている、態様２５に記載の物品。
（態様３０）
前記ディスプレイパネルが非ディスプレイ領域に装飾デザインを有する、態様２２に記載の物品。
（態様３１）
前記装飾デザインが射出成形、圧縮成形、熱成形、ブロー成形、ホットスタンピング、ラミネーションまたはそれらの組合せにより物品に形成されている、態様２２に記載の物品。
（態様３２）
携帯電話またはポケットベルのプラスチックカバーである、態様１に記載の物品。
（態様３３）
前記ディスプレイパネルがマイクロカップ（登録商標）ベースである、態様３２に記載の物品。
（態様３４）
個人の身の回り品である、態様１に記載の物品。
（態様３５）
玩具または教育デバイスである、態様１に記載の物品。
（態様３６）
携帯情報端末または電子書籍のプラスチックカバーである、態様１に記載の物品。
（態様３７）
クレジットもしくはスマートカードまたは身分証明書もしくは名刺である、態様１に記載の物品。
（態様３８）
アルバム、腕時計、掛けもしくは置き時計、ラジオまたはカメラのフェイスである、態様１に記載の物品。
（態様３９）
自動車のダッシュボードである、態様１に記載の物品。
（態様４０）
家庭用品である、態様１に記載の物品。
（態様４１）
ラップトップ型コンピュータのハウジング、一般消費者向け電子機器のキャリングケースまたはフロントコントロールパネルである、態様１に記載の物品。
（態様４２）
仮キャリア膜（または仮キャリア層）、リリース層、ディスプレイパネル、および接着剤または結合層およびオプションとして耐久層を含んで成る、インモールドディスプレイ転写膜または箔。
（態様４３）
ディスプレイパネルとリリース層との間に接着剤層を更に含んで成る、インモールドディスプレイ転写膜または箔。
（態様４４）
前記仮キャリア層がＰＥＴ、ＰＥＮまたはＰＣの薄いフィルムである、態様４２に記載のインモールドディスプレイ転写膜または箔。
（態様４５）
前記リリース層がワックス、パラフィンもしくはシリコーン、または放射線硬化性多官能アクリレート、シリコーンアクリレート、エポキシド、ビニルエステル、ビニルエーテル、アリルもしくはビニル、不飽和ポリエステルまたはそれらの混合物から作製される高度に平滑で不浸透性のコーティングから形成される、態様４２に記載のインモールドディスプレイ転写膜または箔。
（態様４６）
前記リリース層がエポキシ、ポリウレタン、ポリイミド、ポリアミド、メラミンホルムアルデヒド、ユリアホルムアルデヒドおよびフェノールホルムアルデヒドからなる群より選択される縮合重合体、共重合体、混合物または複合体を含む、態様４２に記載のインモールドディスプレイ転写膜または箔。
（態様４７）
前記オプションの耐久コーティング（または耐久層）が放射線硬化性多官能アクリレート、エポキシド、ビニルエステル、ジアリルフタレート、ビニルエーテルまたはそれらの混合物から形成される、態様４２に記載のインモールドディスプレイ転写膜または箔。
（態様４８）
前記オプションの耐久コーティング（または耐久層）が縮合重合体または共重合体を含む、態様４２に記載のインモールドディスプレイ転写膜または箔。
（態様４９）
前記縮合重合体または共重合体がエポキシ、ポリウレタン、ポリアミド、ポリイミド、メラミンホルムアルデヒド、ユリアホルムアルデヒド、およびフェノールホルムアルデヒドからなる群より選択される、態様４８に記載のインモールドディスプレイ転写膜または箔。
（態様５０）
前記オプションの耐久コーティング（または耐久層）がゾル−ゲルシリケートまたはチタンエステルを含む、態様４２に記載のインモールドディスプレイ転写膜または箔。
（態様５１）
前記放射線硬化性多官能アクリレートがエポキシアクリレート、ポリウレタンアクリレート、ポリエステルアクリレート、シリコーンアクリレートまたはグリシジルアクリレートである、態様４７に記載のインモールドディスプレイ転写膜または箔。
（態様５２）
前記接着剤層がポリアクリレート、ポリメタクリレート、ポリスチレン、ポリカーボネート、ポリウレタン、ポリエステル、ポリアミド、エポキシ樹脂、エチレンビニルアセテート共重合体（ＥＶＡ）もしくは熱可塑性エラストマーまたはそれらの共重合体、混合物もしくは複合体から形成される、態様４２に記載のインモールドディスプレイ転写膜または箔。
（態様５３）
前記接着剤層がホットメルトまたは熱活性型接着剤である、態様４２に記載のインモールドディスプレイ転写膜または箔。
（態様５４）
前記接着剤層がポリウレタン、ポリアミド、またはそれらの共重合体、混合物もしくは複合体である、態様４２に記載のインモールドディスプレイ転写膜または箔。
（態様５５）
前記接着剤層がポリカーボネート、ポリアクリレート、ポリメタクリレートまたはそれらの共重合体、混合物もしくは複合体である、態様４２に記載のインモールドディスプレイ転写膜または箔。
（態様５６）
ロールの形態を有する、態様４２に記載のインモールドディスプレイ転写膜または箔。
（態様５７）
キャリア層、ディスプレイパネルおよび接着剤層を含んで成る、インモールドディスプレイ挿入膜または箔。
（態様５８）
前記ディスプレイパネルがキャリア層上に直接形成される、態様５７に記載のインモールドディスプレイ挿入膜または箔。
（態様５９）
ロールの形態を有する、態様５７に記載のインモールドディスプレイ挿入膜または箔。
（態様６０）
物品の上面に埋め込まれたディスプレイパネルを有する物品を製造する方法であって、
ａ）仮キャリア層、リリース層、ディスプレイパネル、接着剤層およびオプションとして耐久層を含んで成るインモールドディスプレイ転写膜または箔を形成し；
ｂ）該インモールドディスプレイ転写膜または箔を型内へ、仮キャリア膜（または仮キャリア層）が型の内面と接触するようにして供給し；
ｃ）該物品を形成するために型内へプラスチック材料を射出し；
ｄ）形成された物品を型から外し；および
ｅ）仮キャリア層およびリリース層の双方を同時に外す
ことを含む方法。
（態様６１）
物品の上面に埋め込まれたディスプレイパネルを有する物品を製造する方法であって、
ａ）キャリア層、ディスプレイパネルおよび接着剤層を含んで成るインモールドディスプレイ挿入膜または箔を形成し；
ｂ）該インモールドディスプレイ挿入膜または箔を型内へ、該キャリア層が型の内面と接触するようにして挿入し；
ｃ）該物品を形成するために該型内へプラスチック材料を射出し；
ｄ）形成された物品を型から外す
ことを含む方法。
（態様６２）
前記ディスプレイパネルをキャリア層上に直接形成する、態様６１に記載の方法。
（態様６３）
物品の上面に埋め込まれたディスプレイパネルを有する物品を製造する方法であって、
ａ）仮キャリア層、リリース層、ディスプレイパネル、接着剤層およびオプションとして耐久層を含んで成るインモールドディスプレイ転写膜または箔を形成し；
ｂ）該インモールドディスプレイ転写膜または箔を型内へ、仮キャリア膜（または仮キャリア層）が型の内面と接触するようにして供給し；
ｃ）該物品を型内にてプラスチック材料により熱成形またはブロー成形し；
ｄ）形成された物品を型から外し；および
ｅ）仮キャリア層およびリリース層の双方を同時に外す
ことを含む方法。
（態様６４）
物品の上面に埋め込まれたディスプレイパネルを有する物品を製造する方法であって、
ａ）キャリア層、ディスプレイパネルおよび接着剤層を含んで成るインモールドディスプレイ挿入膜または箔を形成し；
ｂ）該インモールドディスプレイ挿入膜または箔を型内へ、該キャリア層が型の内面と接触するようにして挿入し；
ｃ）該物品を型内にてプラスチック材料により熱成形またはブロー成形し；
ｄ）形成された物品を型から外す
ことを含む方法。
（態様６５）
前記ディスプレイパネルを前記キャリア膜（またはキャリア層）上に直接形成する、態様６４に記載の方法。
（態様６６）
物品の上面に埋め込まれたディスプレイパネルを有する物品を製造する方法であって、
ａ）仮キャリア層、リリース層、ディスプレイパネル、接着剤層およびオプションとして耐久層を含んで成るインモールドディスプレイ転写膜または箔を形成し；
ｂ）該インモールドディスプレイ転写膜または箔を型内へ、仮キャリア膜（または仮キャリア層）が型の内面と接触するようにして供給し；
ｃ）該物品を型内にてプラスチック材料により圧縮成形し；
ｄ）形成された物品を型から外し；および
ｅ）仮キャリア層およびリリース層の双方を同時に外す
ことを含む方法。
（態様６７）
物品の上面に埋め込まれたディスプレイパネルを有する物品を製造する方法であって、
ａ）キャリア層、ディスプレイパネルおよび接着剤層を含んで成るインモールドディスプレイ挿入膜または箔を形成し；
ｂ）該インモールドディスプレイ挿入膜または箔を型内へ、該キャリア層が型の内面と接触するようにして挿入し；
ｃ）該物品を型内にてプラスチック材料により圧縮成形し；および
ｄ）形成された物品を型から外す
ことを含む方法。
（態様６８）
前記ディスプレイパネルを前記キャリア膜（またはキャリア層）上に直接形成する、態様６７に記載の方法。
【国際調査報告】
2007535416.tif 000011
2007535416.tif 000012
2007535416.tif 000013
2007535416.tif 000014